(57)【要約】  制汗組成物およびそのためのディスペンサであって、組成物が、発汗の非孔質遮断阻害剤を含む、１６／ｓの剪断速度で３０００ｍＰａ．ｓ〜５２００ｍＰａ．ｓの粘度のゲル、クリームまたは軟質固体であり、ディスペンサが、その頂部／中央部で２５〜６０ｍｍの最大値から、その頂部／中央部から１ｃｍの距離でその最大値の７５〜９５％の値まで減少する曲率半径のドーム形状のアプリケータ表面を備える。【選択図】図３
2018500053.tif 000002
【特許請求の範囲】
【請求項１】
組成物およびそのためのディスペンサを備える製品であって、前記組成物が、発汗の非孔質遮断阻害剤を含む、１６／ｓの剪断速度で３０００ｍＰａ．ｓ〜５２００ｍＰａ．ｓの粘度のゲル、クリームまたは軟質固体であり、前記ディスペンサが、その頂部／中央部で２５〜６０ｍｍの最大値から、その頂部／中央部から１ｃｍの距離でその最大値の７５〜９５％の値まで減少する曲率半径のドーム形状のアプリケータ表面を備える、製品。
【請求項２】
前記ドーム形状のアプリケータ表面の曲率半径が、その頂部／中央部から１．５ｃｍ〜２．５ｃｍの距離でその最大値の１０〜２５％の値まで減少する、請求項１に記載の製品。
【請求項３】
前記ドーム形状のアプリケータ表面の直径が、３ｃｍ〜６ｃｍである、請求項１または２に記載の製品。
【請求項４】
内部に収容されたリザーバから前記組成物を放出するために、前記アプリケータ表面に穴を含む、請求項１〜３のいずれか一項に記載の製品。
【請求項５】
前記リザーバが、交換可能な詰め替えカートリッジである、請求項４に記載の製品。
【請求項６】
前記交換可能な詰め替えカートリッジから前記アプリケータ表面までの通路であって、前記アプリケータ表面の前記穴で終了し、少なくとも１．０ｍｍ２の最小断面積を含む通路を備える、請求項５に記載の製品。
【請求項７】
前記組成物が、単位投与量でアプリケータ表面上へ移送される、請求項１〜６のいずれか一項に記載の製品。
【請求項８】
前記アプリケータ表面の穴を通っての前記組成物からの蒸発損失を減少させるように機能する、前記アプリケータ表面用のオーバーキャップを備える、請求項４〜７のいずれか一項に記載の製品。
【請求項９】
前記発汗の非孔遮断阻害剤が抗コリン剤である、請求項１〜８のいずれか一項に記載の製品。
【請求項１０】
前記発汗の非孔質遮断阻害剤がオキシブチニンである、請求項１〜９のいずれか一項に記載の製品。
【請求項１１】
前記組成物が、１〜５重量％の発汗の非孔質遮断阻害剤を含む、請求項１〜１０のいずれか一項に記載の製品。
【請求項１２】
前記組成物の粘度が、１６／ｓの剪断速度で３５００ｍＰａ．ｓ〜５０００ｍＰａ．ｓである、請求項１〜１１のいずれか一項に記載の製品。
【請求項１３】
前記組成物の粘度が、１６／ｓの剪断速度で４０００ｍＰａ．ｓ〜４６００ｍＰａ．ｓである、請求項１２に記載の製品。
【請求項１４】
前記リザーバから前記アプリケータ表面上に前記組成物を押し込むための駆動機構を備え、前記駆動機構が、ダイヤルユニットとプランジャとを備え、前記ダイヤルユニットが前記プランジャを前進させるために回転され、それによって前記組成物が、前記アプリケータの前記穴を通って前記アプリケータ表面上へ前進する、請求項４〜１３のいずれか一項に記載の製品。
【請求項１５】
前記ダイヤルユニットを第１の方向へ回転させることによって、前記プランジャが上方へ前進し、前記プランジャが、前記組成物を含む交換可能なカートリッジの基部でピストンシール上に作用し、それによって、前記含有された組成物を前記アプリケータ表面の前記穴を通って上方へ、かつ外側へ押し出し、前記第１の方向とは逆の第２の方向へ前記ダイヤルユニットを回転させることによって、前記プランジャが更に前進する準備が整った状態に、前記プランジャに対して前記ダイヤルユニットを回転方向に再設定し、前記第２の方向への回転が、前記プランジャの著しい軸方向移動を引き起こさない、請求項１４に記載の製品。
【請求項１６】
前記ダイヤルユニットの前記第１の方向への回転運動を１８０°未満に制限する停止面を備える、請求項１４または請求項１５に記載の製品。
【請求項１７】
発汗、特に過度の発汗の治療に使用するための、請求項１〜１６のいずれか一項に記載の製品。
【請求項１８】
前記頂部に前記凸状のアプリケータ表面を含む取外し可能なアプリケータヘッドによって、前記交換可能なカートリッジが、外側本体または外側本体内の詰め替えホルダから取り外すことができる、請求項１〜１７のいずれか一項に記載の製品。
【請求項１９】
発汗、特に過度の発汗を制御する化粧方法であって、前記方法が、請求項１〜１８のいずれか一項に記載の製品の使用を含む、化粧方法。
【発明の詳細な説明】
【技術分野】
【０００１】
本発明は、制汗剤の分野に関する。本発明は、特に、人体からの発汗の制御、およびこれを達成するための組成物およびディスペンサに関する。
【背景技術】
【０００２】
発汗を治療するために、多くの方法が考案されてきた。近年、市場で選択される方法は、アルミニウムクロロハイドレートのようなアルミニウムおよび／またはジルコニウムの収斂性塩の使用であった。このような材料は、汗管を閉塞し、それによって人体表面上まで進む発汗の量を減少させる機能がある。
【０００３】
クリーム、ゲルまたは軟質固体である制汗剤を含む化粧品組成物を塗布する際に使用するために考案された多くのディスペンサが、更に存在している。
【０００４】
欧州特許第２，２４３，７２０号明細書（Ｎｏｓｓｂａｕｍら、２０１０年）は、駆動ナットと、プランジャを含む排出部材とを備える駆動機構を含む、粘性物質を分注するための装置を開示している。この装置は、練り歯磨きまたは石鹸と共に使用することに適している。
【０００５】
米国特許第５，３３６，００５号明細書（Ｓｃｈｗａｎ  Ｓｔａｂｉｌｏ  Ｓｃｈｗａｎｈａｅｕｓｓｅｒ，１９９４年）は、ねじ付きスピンドルによって軸方向に変位された展延性スティック材料用のアプリケータ装置を開示している。ねじ付きスピンドルは、アプリケータの前端が取り外される場合、ばねによってその開始位置に戻される。
【０００６】
米国特許第６，０７１，０２７号明細書（Ｌ’Ｏｒｅａｌ、２０００年）は、静止位置から作動位置に移動するように駆動され得るプッシャ機構を備えるアプリケータホルダ装置を開示している。プッシャ機構は、軸方向ダクトの中でアプリケータを駆動し、ヘッドがホルダから取り外される場合、静止位置に戻され得る。
【０００７】
発汗の供給源で発汗を治療する方法、すなわち汗腺、特にエクリン腺の分泌コイルからの汗の発生を減少させる方法はあまり一般的に報告されていない。
【０００８】
国際公開第０２／０１１６９０号パンフレット（Ｕｎｉｌｅｖｅｒ）は、エクリン腺の分泌コイル細胞を有するカルシウムチャネルが遮断され、それにより、汗の供給源で汗の発生を制御する制汗方法を開示している。
【０００９】
米国特許第８，６１８，１６０号明細書（Ｒｏｓｅ  Ｕ）は、多汗症治療のためのムスカリン抗コリン剤であるグリコピロレートを含有する拭き取り布を開示している。
【００１０】
特定の抗コリン薬剤が、多汗症を治療するために使用されてきており、様々な程度の成功を収めている。これらの薬剤には、Ｄｉｔｒｏｐａｎ（登録商標）（オキシブチニン）、Ｐｒｏｂａｎｔｈｉｎｅ（登録商標）（臭化プロパンテリン）およびＣｏｇｅｎｔｉｎ（登録商標）（ベンゾトロピン）が含まれる。
【００１１】
米国特許第２００８／０２０７７３７号明細書（Ｚｉｎｇｅｒ）は、制汗効果のための典型的な組成物を開示し、オキシブチニンのレベルを変化させることを含む。
【先行技術文献】
【特許文献】
【００１２】
【特許文献１】欧州特許第２，２４３，７２０号明細書
【特許文献２】米国特許第５，３３６，００５号明細書
【特許文献３】米国特許第６，０７１，０２７号明細書
【特許文献４】国際公開第０２／０１１６９０号パンフレット
【特許文献５】米国特許第８，６１８，１６０号明細書
【特許文献６】米国特許第２００８／０２０７７３７号明細書
【発明の概要】
【発明が解決しようとする課題】
【００１３】
本発明は、発汗の非孔質遮断阻害剤の局所送達によってヒトの発汗を制御することができる。更に、前記局所送達は、使用者が発汗の非孔質遮断阻害剤に指で接触せずに達成され得る。これは消費者にとって、より便利であり、より衛生的である。
【００１４】
本発明は、汗の供給源、すなわち汗腺の分泌コイル、特にエクリン腺において汗の生成を減少させることによって典型的に機能を発揮する。
【課題を解決するための手段】
【００１５】
本発明の第１の態様では、組成物およびそのためのディスペンサを備える製品であって、組成物が、発汗の非孔質遮断阻害剤を含む、１６／ｓの剪断速度で３０００ｍＰａ．ｓ〜５２００ｍＰａ．ｓの粘度のゲル、クリームまたは軟質固体であり、ディスペンサが、その頂部／中央部で２５〜６０ｍｍの最大値から、その頂部／中央部から１ｃｍの距離でその最大値の７５〜９５％の値まで減少する曲率半径のドーム形状のアプリケータ表面を備える。
【００１６】
本発明の第２の態様では、発汗、特に過度な発汗の治療に使用するための本発明の第１の態様による製品が提供される。
【００１７】
疑いを避けるために、本発明のこの第２の態様は、可能な化粧品、医薬または薬用使用を含む。
【００１８】
本発明の第３の態様では、発汗、特に過度の発汗を制御する化粧方法が提供され、その方法は、本発明の第１の態様による製品の使用を含む。
【００１９】
本発明の第３の態様は、代替的に、発汗を制御する化粧方法の提供として表され、その方法には、ディスペンサを使用して、発汗の非孔質遮断阻害剤を含む組成物を塗布することが含まれ、ディスペンサは、その頂部／中央部で２５〜６０ｍｍの最大値から、その頂部／中央部から１ｃｍの距離でその最大値の７５〜９５％の値まで減少する曲率半径のドーム形状のアプリケータ表面を備える。
【００２０】
本発明の第４の態様では、前述の本発明の態様の任意の中で使用するために適するディスペンサの製造方法が提供される。
【００２１】
本明細書では、化粧方法とは、化粧品の処置および／または化粧品の組成を含む方法を意味し、そのような処置または組成は医薬構成要素を含まない。
【００２２】
本明細書では、過度の発汗は、多汗症として知られるその状態を指すと理解すべきである。
【００２３】
本発明の方法および治療は、人体の表面上、すなわち人体の皮膚上で使用される場合に最も有益である。人体の脇の下領域で使用される場合、それらは特に価値がある。本発明の一部として使用されるディスペンサは、人体の脇の下領域に使用される場合に特に有効であるように設計されている。後者の適用領域に関連する本発明の特徴の１つは、ディスペンサのドーム形状のアプリケータ表面である。
【００２４】
本発明により、本発明の一部として使用されるディスペンサは、発汗の非孔遮断剤を局所的に送達する。
【００２５】
好適な発汗の非孔質遮断阻害剤は、抗コリン性物質、例えばオキシブチニンである。
【００２６】
特定の粘度の組成物、およびドーム形状アプリケータ表面の曲率半径を使用することによって、発汗の非孔質遮断阻害剤を含むゲル、クリームまたは軟質固体の最適な送達が達成され得ることを本発明者は発見した。
【００２７】
本発明の組み合わされた組成物およびアプリケータの特徴により、組成物がアプリケータ表面上に極めて良好に保持され、高効率で送達されることが可能になる。理論に縛られることを望むものではないが、これらの特徴によって、皮膚表面の下、特に脇の下領域に位置する典型的にはエクリン腺である、その標的へ発汗の非孔質遮断阻害剤を送達することが向上すると考えられる。抗コリン剤である発汗の非孔質遮断阻害剤を送達することは、本発明の使用によって特に効率的である。
【００２８】
発汗の非孔質遮断阻害剤は、好適には抗コリン剤、より好適にはオキシブチニンである。
【００２９】
発汗の非孔質遮断阻害剤組成物を送達するために使用される組成物は、１６／ｓの剪断速度で３０００ｍＰａ．ｓ〜５２００ｍＰａ．ｓの粘度のゲル、クリームまたは軟質固体である。好適には、組成物は、３５００ｍＰａ．ｓ〜５０００ｍＰａ．ｓの粘度、より好適には４０００ｍＰａ．ｓ〜４６００ｍＰａ．ｓの粘度を含む。
【００３０】
１６／ｓの剪断速度は、組成物が凸状アプリケータ表面上に押し出される場合に典型的に受ける剪断速度に等しく、この時点で、およびすぐその後で、組成物の流れ特性に非常に関連性が高い。
【００３１】
組成物が、４２４０／ｓの剪断速度で６０ｍＰａ．ｓ〜８０ｍＰａ．ｓの粘度、より好適には、４２４０／ｓの剪断速度で６４ｍＰａ．ｓ〜７４ｍＰａ．ｓの粘度を含むことが更に好ましい。４２４０／ｓの剪断速度は、組成物が凸状アプリケータ表面から人体の表面に移送される場合に典型的に受ける剪断速度に等しく、この時点で組成物の流れ特性に非常に関連性が高い。
【００３２】
本明細書では、粘度は、２５℃および１大気圧で測定されるものである。
【００３３】
本明細書では、本明細書によるディスペンサは「アプリケータ」と同様であると考えてよく、それらの意図される機能が、両方とも内部に含まれる組成物を分注し、塗布するということであるからである。
【００３４】
本明細書では、「塗布」は、そうではないと示されない限り、人体の表面に塗布することに言及すると考えるべきである。
【００３５】
本明細書では、人体の表面に塗布することは、好適には直接に行われる。塗布されるべき組成物が、塗布を実施する人の指に接触しないことが特に好ましい。
【００３６】
本明細書では、「単位投与量」は、ディスペンサ／アプリケータによって固定された投与量を意味すると理解すべきである。好適には、単位投与量はユーザによって調節されることができず、そのために、複数の単位投与量に対して、分注される量を制限する。特にユーザがこの投与量を調節できない場合、投与量を固定することによって、本発明を使用する個人の要求がある治療を制御する助けとなる。
【００３７】
ディスペンサの上端部でドーム形状のアプリケータ表面は、脇の下領域に指定されるクリーム、ゲルおよび軟質固体の塗布のために特に価値があり、特に好適な範囲の粘度を含む組成物に対して価値がある。そのような組成物は、アプリケータ表面上によく拡がるが、しかしアプリケータ表面によって保持され、これによりそれらを脇の下の皮膚の中に効果的に擦り込むことが可能であるので、このことが当てはまる。ドーム形状アプリケータ表面は、これらの利点を向上させるために、特定の形状を含む。
【００３８】
ドーム形状アプリケータ表面が、その頂部／中央部で２５〜６０ｍｍの最大値から、その頂部／中央部から１ｃｍの距離でその最大値の７５〜９５％の値まで減少する曲率半径を含む。好適には、ドーム形状のアプリケータ表面の曲率半径が、その頂部／中央部から１．５ｃｍ〜２．５ｃｍの距離で、その最大値の１０〜２５％の値まで減少する。その寸法によって、組成物の拡がりおよび保持、ならびに人体の脇の下領域に組成物を塗布することが向上する。
【００３９】
アプリケータ表面の曲率半径は、その頂部／中央部から径方向外側へ移動するいずれの方向にも同じ比率で、同じ程度まで減少することが好ましい。
【００４０】
本明細書では、「ドーム形状」は、３次元凸状表面を指し、球体の部分の外面の形状を含むドーム面に限定されるわけではなく、実際は様々な曲率半径要求によってそのような表面が除外される。
【００４１】
本明細書では、ドームの頂部／中央部は、その頂部にあり、径方向中心に、すなわち水平面に配置される。
【００４２】
本明細書では、ドームの頂部／中央部から示される距離は、ドーム表面に沿った最小距離として測定される。
【００４３】
ドーム形状アプリケータ表面の直径は、典型的には３ｃｍ〜６ｃｍであり、これによって、特に脇の下領域で、その標的まで発汗の阻害剤の送達において、組成物を皮膚まで送達することが向上する。
【００４４】
好適な実施形態では、ドーム形状アプリケータ表面は、滑らかであり、すなわち、隆起または傾斜など窪みまたは突起を含まない。
【００４５】
アプリケータ表面が、内側に含まれるリザーバから組成物を放出するための穴を備えることが非常に好ましい。好適な実施形態では、穴が、ドーム形状アプリケータ表面の頂部に、すなわち、ドームの頂部／中央部で中央に配置される。
【００４６】
特定の実施形態では、アプリケータ表面が、内側に含まれるリザーバから組成物を放出するための複数の穴を備える。そのような実施形態では、組成物がアプリケータ表面上へ容易に流れることができる。
【００４７】
すぐ上記のパラグラフの中に説明される、内部に含まれるリザーバは、好適には交換可能な詰め替えカートリッジであり、好適には、１〜５０ｍｌの容量を含み、より好適には、２〜１５ｍｌの容量、最も好適には２〜１０ｍｌの容量を含む。
【００４８】
アプリケータ表面は、好適には、取外し可能なオーバーキャップによって覆われている。これは、分注される組成物からの潜在的な蒸発損失を低減することにおいて有利であり、それによって次に、組成物の粘度安定性および流れ特性を補助することができる。オーバーキャップが定位置にある場合、オーバーキャップが、アプリケータ表面内の分注穴に対して押し付ける窪みをその内面上に含む場合、これらの利点は更に向上する。
【００４９】
採用される場合、交換可能なカートリッジがディスペンサ内部に位置する。カートリッジは、典型的には円筒形状である本体、およびその基部にピストンシールを含む。
【００５０】
詰め替えカートリッジの中の組成物をアプリケータ表面へ移送するための手段を提供する通路が存在することは、非常に好適である。通路は、好適には、少なくとも１．０ｍｍ２、より好適には、少なくとも１．５ｍｍ２、および最も好適には、少なくとも３．０ｍｍ２の最小断面積を含む通路を含む。
【００５１】
本明細書では、「通路の最小断面積」は、カートリッジからアプリケータ表面まで、その全体の長さに沿った通路の最小断面積である。別法として、この寸法は、通路の最小穴領域と考えられてもよい。
【００５２】
上記に考察される最小穴領域は、組成物の送達への効果のために、関連性がある。本発明のディスペンサによる塗布のために意図される組成物は、狭いオリフィスを通過することが困難になる粘度を含む。この理由から、カートリッジとアプリケータ表面との間の通路は、あまり狭くなり過ぎてはならない。特に粘度が．．．から．．．である場合、組成物の粘度が高ければ高いほど、好適には、少なくとも１．０ｍｍ２、より好適には、少なくとも１．５ｍｍ２、および最も好適には、少なくとも３．０ｍｍ２の最小断面積の通路を含むことが、より一層重要であるということが明白であるはずである。
【００５３】
通路が狭過ぎる場合に直面する可能な問題点には、起こり得る漏出につながるカートリッジおよび通路内の高圧力、アプリケータ表面へ組成物の遅い分注、組成物が通路を通過するにつれて、アプリケータ表面上での保持性の劣化につながる、組成物の剪断減粘性が含まれる。
【００５４】
好適な実施形態では、ディスペンサは、ダイヤルユニットおよびプランジャを備える駆動機構を備える。駆動機構は、組成物が交換可能なカートリッジから、通路を通って、凸状アプリケータ表面上へ強制的に押し込む機能を果たす。
【００５５】
そのような実施形態では、ダイヤルユニットの第１の方向への回転によって、典型的にはプランジャを軸方向上方へ前進させる。プランジャがそのように前進される場合、プランジャが、交換可能なカートリッジの基部でピストンシール上に作用し、それによって、ピストンシールを上方へ押し、組成物が、カートリッジを出て２つの間の通路を経てアプリケータ表面に流れる。
【００５６】
ダイヤルユニットは、典型的には、ディスペンサの基部に位置する。
【００５７】
第１の方向とは逆に、第２の方向へダイヤルユニットを回転することによって、典型的には、プランジャが更に前進する準備が整った状態に、プランジャに対してダイヤルユニットを再設定する。重要なことに、第２の方向への回転は、顕著なプランジャの軸方向の移動を引き起こさない。好適には、第２の方向へダイヤルユニットを回転することは、顕著なプランジャの軸方向の移動を引き起こさない。
【００５８】
本明細書では、「プランジャの顕著な軸方向の移動」は、プランジャの長さの５％を超える移動を指すと理解すべきである。
【００５９】
本明細書では、「顕著な回転移動」は、１０°以上の回転を意味すると理解すべきである。
【００６０】
好適な実施形態では、第２の方向へダイヤルユニットを回転することは、５°以上のプランジャの回転移動を引き起こさない。特に好適な実施形態では、第２の方向へダイヤルユニットを回転することは、プランジャの任意の回転移動を引き起こさない。
【００６１】
第２の方向へダイヤルユニットが回転する間、プランジャの回転移動を制限することが有利であり、その理由は、それによって駆動機構が簡単になり、駆動機構をより堅牢するためである。
【００６２】
好適な実施形態では、第１の方向へダイヤルユニットを回転するために加えられるトルクが解放される場合、ダイヤルユニットを開始位置に戻すように強制する捩じりばねによって、第２の方向へダイヤルユニットの回転が引き起こされる。この特徴によって、一般にディスペンサの使用の簡単さが向上する。
【００６３】
好適な実施形態では、ダイヤルユニットの第１の回転方向は逆時計回りであり、第２の回転方向は時計回りである。
【００６４】
本明細書では、「時計回り」および「逆時計回り」は、上方から見た場合、ディスペンサおよび／またはその構成要素に関連すると理解するべきである。
【００６５】
好適な実施形態では、ダイヤルユニットの回転は停止面によって制限され、これらの面は、第１の方向へダイヤルユニットの最も遠い回転で互いに当接し、好適には１８０°未満の回転移動、より好適には１２０°未満の回転移動、最も好適には４５°〜１２０°の間に回転移動を制限する。
【００６６】
採用される場合、停止面は、好適には、ダイヤルユニットに回転に関して連結される１つまたは複数の特徴と、プランジャ上の１つまたは複数の特徴との間で機能する。
【００６７】
好適な実施形態では、ダイヤルユニットに回転に関して係止される「前進」ラチェットが、プランジャ上の「前進」歯と相互作用して、ダイヤルユニットが第１の回転方向へ回転される場合、プランジャを軸方向上方へ上昇させる。
【００６８】
ラチェットの上方面が前進歯の下方面と接触することによって、前進ラチェットは、前進歯と相互作用する。
【００６９】
プランジャ上の前進歯が、好適には、その外面から突出し、プランジャの外面の周りに第１の方向へ螺旋状に下方へ傾斜し、この「第１の方向」は、上記に言及されるダイヤルユニットの回転に関連して上記に言及される方向と同様である。歯が、互いの上に等しい間隔で積み重ねられ、それぞれがプランジャの外面の周りに傾斜する。
【００７０】
好適な実施形態では、ダイヤルユニットに回転に関して係止される第２の「逆止」ラチェットが存在し、それがプランジャ上の第２の組の「逆止」歯と相互作用して、ダイヤルユニットがその第２の方向へ回転される場合、プランジャの下方への顕著な移動を防止する。
【００７１】
存在する場合、プランジャ上の逆止歯は、その外面から突出し、各歯が水平面にあり、歯は設定時に互いの上に等しい間隔で積み重ねられる。
【００７２】
前述の逆止歯を備える実施形態では、第２の方向へダイヤルユニットが回転することによって、逆止歯の間に軸方向の距離の５０％を超えるプランジャの軸方向の移動を発生させることはない。
【００７３】
駆動機構の効果的な機能を補助するために、前進歯と逆止歯との間の軸方向の距離が概ね等しいことが好ましい。
【００７４】
好適な実施形態では、プランジャ上の逆止歯が、前進歯を有する部分の径方向上方へ隆起した部分の上に位置する。
【００７５】
特に堅牢な実施形態では、対角線上に対向する逆止歯を有し、前進歯を有する２つの下方部分によって分離される２つの隆起部が存在し、その前進歯は上記のパラグラフの中で説明されている。そのような実施形態では、逆止歯と相互作用するように設計された２つの対角線上に対向する逆止ラチェット、および逆止歯と相互作用するように設計された２つの前進ラチェットもやはり存在し、各ラチェットは、上記のパラグラフの中で説明されており、説明される随意的／好適な特徴をやはり含むことが好ましい。
【００７６】
駆動機構の効率を向上させるために、プランジャと共に前記逆止歯が上昇される場合、１つまたは複数の逆止ラチェットが、ラチェットを前進させることによって、プランジャ上の次の下方逆止歯の上にスナップ留めできることが好ましい。
【００７７】
駆動機構の効率を向上させるために、ダイヤルユニットが第２の方向へ回転される場合、１つまたは複数の前進ラチェットが、プランジャ上の次の下方前進歯の上にスナップ留めできることが好ましい。
【００７８】
好適な実施形態では、１つまたは複数の前進ラチェット、および１つまたは複数の逆止ラチェットが、ラチェットスリーブの部分であり、ラチェットスリーブは、ダイヤルユニットから独立して成形されるが、しかし、ディスペンサの組立て中に、回転に関して固定される様式でダイヤルユニットの中に嵌め込まれる。この配置は、ディスペンサの製造を簡単にする。
【００７９】
交換可能なカートリッジは、保持ユニットまたは円筒形本体の内部の「詰め替えホルダ」の中に保持されることが好ましい。
【００８０】
外側本体は、好適には投与量カウンタを含み、その上の読取り値を前記本体内の窓を通して読み取ることができる。投与量カウンタは、好適には、プランジャと共にそれが上昇および下降するように、前述のように軸方向にプランジャに対して固定される。
【００８１】
好適な実施形態では、前述のようにプランジャが、回転移動を経て、駆動機構から脱係合することが可能になり、新しい交換可能なカートリッジを装填する準備が整った状態にプランジャを再設定する。そのような回転は、外側本体に対して、かつ駆動機構に対するものである。この回転移動を実施する場合、好適には再設定ばねの影響下で、プランジャはその開始位置まで後退する。採用される場合、再設定ばねは、典型的には圧縮ばねであり、プランジャと交換可能なカートリッジの保持ユニットとの間に作用することが好ましい。
【００８２】
前述のプランジャの回転移動は、アプリケータ表面を有するアプリケータの回転によって引き起こされる。この回転によって、アプリケータヘッドを円筒形本体から分離し、内部に含まれるカートリッジの交換を可能にすることが更に好ましい。
【００８３】
アプリケータ表面を有しており、取り外し、および交換可能なアプリケータヘッドは、本発明によるディスペンサの極めて好適な特徴である。アプリケータヘッドは、好適には、アプリケータヘッド上の１つまたは複数の（好適には２つの）バヨネットラグによって、円筒形本体上に可逆的に保持され、バヨネットラグは円筒形本体上の対応するバヨネットトラックの中に嵌め込まれ、またはその逆である。
【００８４】
好適な実施形態では、すぐ上のパラグラフの中で説明される取り外し可能なアプリケータヘッドは、円筒形本体から、または円筒形本体内部の詰め替えホルダから交換可能なカートリッジを持ち上げるための手段を備える。これによって、詰め替えカートリッジ（１２）が詰め替えホルダ（３９）から取り外されることが可能になるので、消費者が詰め替えカートリッジ（１２）の端部で潜在的に露出される組成物に触れる必要がない。交換可能なカートリッジを持ち上げる典型的な手段は、カートリッジ上の保持リップと相互作用して、カートリッジとリップとの間に軽い軸方向の締め付けを与える、アプリケータヘッドの下側からの突起上のクリップである。
【００８５】
交換可能なカートリッジを円筒形本体から、または円筒形本体内部の詰め替えホルダから持ち上げるための手段を備える取り外し可能なアプリケータヘッドを有することは、人の手の指に付けることが望ましくない材料を含む組成物をカートリッジが含有する場合、特に有利である。これは、特に発汗の非孔質遮断阻害剤である材料を含む場合に当てはまり、そのような材料は皮膚を通って浸透するように意図されており、指の皮膚を通って吸収される場合、局所的または全身的のいずれにしても、望ましくない影響を及ぼす可能性があるからである。
【００８６】
アプリケータヘッドを回転することによって、プランジャの回転移動を引き起こす場合、好適には、このことは、交換可能なカートリッジのためにアプリケータヘッドとホルダユニットとの相互作用によって実行され、ホルダユニットは、その間に回転移動を防止するためにスプライン結合されている。
【００８７】
アプリケータヘッドと交換可能なカートリッジのためのホルダユニットとの間の相互作用によって、アプリケータヘッドがホルダユニットを回転させることを可能になり、それが、アプリケータヘッドのタブがホルダユニットの係合ポケット内部に嵌合する、またはその逆によって引き起こされることが好ましい。
【００８８】
本明細書では、本発明の第１の態様の中で参照される第１の回転移動および第２の回転移動中に、ダイヤルユニットの回転に対する言及は、ディスペンサの外側本体に対するものであり、更に、プランジャに対するものである。
【００８９】
本明細書では、プランジャの軸方向の移動への言及は、ディスペンサの外側本体、および更に、ディスペンサ内部に存在する場合の交換可能なカートリッジの本体に対するものである。
【００９０】
本明細書では、「頂部」および「底部」、「上方」および「下方」、「上」および「下、「垂直」および「水平」などの配向を示す用語は、そうではないと指示されない限り、アプリケータヘッドが最上部にあり、ディスペンサが水平面上にまっすぐに立つ場合、ディスペンサおよび／またはその構成要素に関するものであると理解すべきである。ディスペンサ（１）の「前部」は、本明細書で以下に説明される投与量カウンタ（２２）を有する面（湾曲した）に関するものであると理解すべきである。「基部」という用語は、そうではないと指示されない限り、用語「底部」と同じ意味を含むと理解すべきである。
【００９１】
凸状アプリケータ表面が、取り外され、交換され得るアプリケータヘッドの部分であることが好ましい。
【００９２】
次いで、本発明の部分として使用するのに適するディスペンサの詳細な説明を以下に記載する。図面はこうした特定のディスペンサの特徴を図示するが、しかし、本明細書で説明される各特徴は、特許請求の範囲に規定される本発明により使用されるディスペンサの独立した好適な特徴である。
【図面の簡単な説明】
【００９３】
【図１】輪郭形状の上に重ね合わされた、櫛状部の曲率を含むアプリケータヘッド（２）の断面形状を示す図である。
【図２】その頂部／中央部から距離が増加するにつれて、アプリケータヘッド（２）の曲率半径が変化することを示す図である。
【図３】ディスペンサ（１）の外部正面図である。
【図４】駆動前の状態で、ディスペンサ（１）を通る長手方向断面図である。
【図５】ディスペンサ（１）のアプリケータヘッド（２）の正面図である。
【図６】下方からアプリケータヘッド（２）の幾分斜めから見た斜視図である。
【図７】アプリケータヘッド（２）を通る断面図である。
【図８】円筒形本体（３）の図である。わずかに上昇した正面図である。
【図９】円筒形本体（３）の図である。幾分斜めから見た長手方向断面図である。
【図１０】円筒形本体（３）の図である。側部および底部から見た、ダイヤルばね（３４）をやはり示す図である。
【図１１】円筒形本体（３）内部に存在する詰め替えホルダ（３９）の図である。側部および上方から見た図である。
【図１２】円筒形本体（３）内部に存在する詰め替えホルダ（３９）の図である。下方から見た図である。
【図１３】円筒形本体（３）内部に存在する詰め替えホルダ（３９）の図である。幾分斜めから見た長手方向断面図である。
【図１４】円筒形本体（１３）内部に存在する「プランジャ」（４７）の図である。
【図１５】（異なる視点からの）プランジャの断面図であり、付随する再設定ばね（５７）を示す図である。
【図１６】図示される実施形態の部分として使用される投与量カウンタ（２２）の図である。
【図１７】プランジャ（４７）と組み合わせて使用され、円筒形本体（１３）内部にやはり保持されるラチェットスリーブ（２８）の図である。
【図１８】側部および上方から見たダイヤルユニット（４）の図である。
【図１９】ディスペンサ（１）とともに使用される詰め替えカートリッジ（１２）の断面図である。
【発明を実施するための形態】
【００９４】
図３および図４は、ディスペンサ（１）の主要構成要素、およびそれらが相互作用する方法を図示する。ディスペンサ（１）は、円筒形本体（３）の上方端部に取り付けられるアプリケータヘッド（２）を備え、円筒形本体（３）はその下方端部でダイヤルユニット（４）取り付けられている。円筒形本体（３）の内部に、本明細書で更に説明される複数の構成要素が存在する。アプリケータヘッド（２）の頂部上に、ディスペンサ（１）の部分として使用される詰め替えカートリッジ（１２）内部の組成物から蒸発損失を減少させることに役立つことができる取り外し可能なオーバーキャップ（５）が存在する。
【００９５】
図１および図２の中に、アプリケータヘッド（２）の変化する曲率半径が図示される。図１は、アプリケータ表面が、その頂部／中央部で４２．３０４ｍｍの最大曲率半径を含み、これがその外側縁部で５．４８８ｍｍの最小値に減少することを示す。曲率半径は、その頂部／中央部から外側へ移動する方向へ同じ比率で、かつ同じ程度に減少する。
【００９６】
図１に図示される輪郭形状上に重ね合わされた櫛状部の曲率が、ドーム輪郭形状の上の異なる点での曲率を示す。櫛上部の各「歯」の長さが、ドーム状のその点で他の点に対する曲率を示し、歯の長さは曲率半径に対して反比例する。
【００９７】
図２は、アプリケータヘッド（２）のドーム形状の面の曲率半径が変化することを示す。中央部からの径方向距離が増加するにつれて、曲率は滑らかに減少する。更に、中央部からの径方向距離が増加するにつれて、曲率半径の減少率（角度／ｍｍ）は増加する。ドーム形状表面が円筒形本体（２）の垂直面の中に融合するにつれて、曲率半径が増加することは参照されない。
【００９８】
図２の中に示されるアプリケータヘッド（２）の表面上に示される区域が、等しい曲率半径の区域を代表するのではなく、１つの区域から次の区域に曲率半径が通過する場合、曲率半径は突然変化するということを理解されたい。むしろ、中央部からの径方向の距離が増加するにつれて、表面の曲率半径が滑らかに減少する。図示される区域は、中央部から外側に向かって、曲率半径を表している。下方に向かって、４２．３〜２０．０ｍｍが区域Ｚ１であり、２０．０〜１３．１ｍｍが区域Ｚ２であり、１３．１〜９．７ｍｍが区域Ｚ３であり、９．７〜７．７ｍｍが区域Ｚ４であり、７．７〜６．４ｍｍが区域Ｚ５であり、６．４〜５．５ｍｍが区域Ｚ６である。
【００９９】
アプリケータヘッド（２）は、図５、図６および図７に更に図示されている。アプリケータヘッド（２）は、滑らかな凸状上外側面（６）およびそこから垂れ下がる周辺スカート（７）を備える。上面（６）は、中央穴（８）によって穿孔されており、ディスペンサ（１）が駆動される場合、その穴を通って組成物が推進される。
【０１００】
周辺スカート（７）が、距離に対して均一な外側直径によって下方へ垂れ下がり、次いで環状凹部（９）に続き、スカート（７）の外面から外側へ突出する環状レッジ（１０）が存在する。レッジ（１０）の幅は、アプリケータヘッド（２）の頂部上に嵌合するように設計されている取り外し可能なキャップ（５）の下方縁部の厚さに合致する。
【０１０１】
環状レッジ（１０）から下方へ移動すると、周辺スカート（７）の外径が狭くなって、ついにそれが環状凹部（９）上方にあるスカート（７）の外径と同様になる。周辺スカート（７）の内径（ｉ．ｄ．）は、図７に図示されるように、スカート（７）の深さ全体に対して概ね一定の状態である。
【０１０２】
図６は、中央穴（８）の周りから、アプリケータヘッド（２）の下側（６Ａ）上に、円筒形詰め替え封止突起（１１）が垂れ下がる。詰め替え封止突起（１１）は、ディスペンサ（１）のための詰め替えカートリッジ（１２）と係合するように機能する（下記参照）。
【０１０３】
アプリケータヘッド（２）のやはり下側（６Ａ）上に、詰め替え封止突起（１１）の径方向外側から、円筒形詰め替え保持突起（１３）が垂れ下がる。この突起（１３）の内面から、その下方端部で、２つの対角線上に対向する詰め替えクリップ（１４）が突出し、詰め替え保持突起（１３）の中に詰め替えカートリッジ（１２）を保持することを補助する（下記参照）。
【０１０４】
詰め替え保持突起（１３）の径方向外側から、アプリケータヘッド（２）のやはり下側（６Ａ）上に、２つの対角線上に対向する詰め替えホルダ係合タブ（１５）が、様々な支持壁（１６）と共に垂れ下がる。詰め替えホルダ係合タブ（１５）は、詰め替えホルダ（３９）と相互作用し、詰め替えカートリッジ（１２）が交換する必要がある場合、重要な機能を果たす（下記参照）。
【０１０５】
周辺スカート（７）の内面（７Ａ）から、２つの対角線上に対向するバヨネットラグ（１７）が突出し、バヨネットラグ（１７）はアプリケータヘッド（２）を円筒形本体（３）に固定する機能があるが、詰め替えユニット（１２）が交換される場合は除く（下記参照）。
【０１０６】
円筒形本体（３）
図８、図９および図１０は、円筒形本体（３）の特徴を図示する。以下のパラグラフの中で、これらが説明される。
【０１０７】
上端部で、円筒形本体（３）の外面上に、周辺スカート（７）の内面（７Ａ）に緊密に接触することによってアプリケータヘッド（２）を保持するように設計されたアプリケータヘッドスリーブ（１８）が存在する。
【０１０８】
アプリケータヘッドスリーブ（１８）は、上端部で外面上に切取り部分（１９）を含む。切取り部分（１９）は、アプリケータヘッドスリーブ（１８）の外面上に２つの対角線上に対向するバヨネットトラック（２０）の中に続く。これらのバヨネットトラック（２０）は、円筒形本体（３）の頂部上に配置される場合、アプリケータヘッド（２）のバヨネットラグ（１７）を受け入れ、保持する。バヨネットトラック（２０）は、バヨネットラグ（１７）が上方から挿入される場合、バヨネットラグ（１７）の接近を可能にするように設計され、次いでアプリケータヘッド（２）の時計回りの回転が、バヨネットラグ（１７）をバヨネットトラック（２０）の中に係止し、円筒形本体（３）に対するアプリケータヘッドの軸方向の移動を防止する。アプリケータヘッド（２）が、取り外される必要がある場合（典型的には、詰め替えユニットが交換を必要とする場合）、アプリケータヘッド（２）が逆時計回りに回転され、次いでアプリケータヘッド（３）のバヨネットラグ（１７）が持ち上げられて、円筒形本体（３）のバヨネットトラック（２０）から取り除くことが可能である。
【０１０９】
円筒形本体（３）の正面の中央に、図３だけに示される、制御パネルプレート（２１）が付着されている。制御パネルプレート（２１）は、投与量窓（２１Ａ）を画定し、それを通して投与量カウンタ（２２）（下記参照）上の示度が観察され得る。投与量カウンタ（２２）は、円筒形本体（３）の内壁（３Ａ）によって画定される投与量カウンタ切取り部（２３）の内部に位置する。
【０１１０】
投与量カウンタ（２２）は、前述の制御パネルプレート（２１）の概ね背後に位置するが、ディスペンサ（１）の詰め替えカートリッジ（１２）が満杯である場合、前記プレート（２１）の下方に顕著に突出する。
【０１１１】
投与量カウンタ切取り部（２３）が、制御パネルプレート（２１）の範囲内の円筒形本体（３）の正面で区分（２３Ａ）の中で、かつ制御パネルプレート（２１）の下の区分（２３Ｂ）の中で円筒形本体（３）の深さ全体を通る間隙を含み、２つの区分（２３Ａおよび２３Ｂ）は、円筒形本体（３）の正面で増厚部分（３Ｂ）によって分離される。
【０１１２】
外面から底部に向かって径方向に突出する円筒形本体（３）の追加の特徴は、ダイヤル・スリーブ・リブ（２４）であり、ダイヤル・スリーブ・リブ（２４）は、円筒形本体（３）の基部に対してダイヤルユニット（４）を軸方向に固定することに対して主に関与する。
【０１１３】
円筒形本体（３）の基部に向かって、２つの対角線上に対向する径方向の凹部（２５）が存在し、凹部（２５）は、ラチェットスリーブ（２８）の保持ブレード（２７）を保持する係合ポケット（８３）のための回転チャネルとして機能する（下記参照）。各回転チャネル（２５）は、「設定停止面」（２９）によって時計回りに径方向面で、および「投与量停止面の端部」（３０）によって逆時計回りに径方向面で境界を接する。これらの停止面（２９）および（３０）は、ダイヤルユニット（４）上の対応する面と相互作用して、その相対的な回転を制限する。
【０１１４】
前述の「径方向凹部」の後壁が、中央内側水平プラットフォーム（３２）から円筒形本体（３）の基部に向かって垂れ下がる円筒形壁（３１）の部分を形成する。中央内側水平プラットフォーム（３２）の縁部と円筒形本体（３）の外壁（３Ｃ）との間に水平の間隙が存在し、そこに回転チャネル（２５）が画定される。この間隙によって、ダイヤルユニット（４）とラチェットスリーブ（２８）との間の本質的な結合を可能にする。
【０１１５】
円筒形壁（３１）の内部に、やはり内側プラットフォーム（３２）から垂れ下がって、内側円筒形壁（３３）が存在する。内側円筒形壁（３３）は、「外側」円筒形壁（３１）よりもわずかに更に下方へ垂れ下がり、すなわち内側円筒形壁（３３）は、わずかにより大きい深さを含む。これは、円筒形本体に対してダイヤルユニット（４）を軸方向に締め付けることに関して意味がある（下記参照）。
【０１１６】
図１０は、内側円筒形壁（３３）の周りに、ダイヤルばね（３４）が巻き付けられていることを図示する。ダイヤルばね（３４）は、トーションばねであり、ダイヤルユニット（４）と円筒形本体（３）との間の時計回りの回転回復力を提供する。ダイヤルばね（３４）の下端部が、ダイヤルユニット（４）の中のダイヤルばね保持チャネル（３５）によって保持され、それによって回転され得る。ダイヤルばね（３４）の下端部が、円筒形本体（３）の底部上のダイヤルばね反応面（３６）に対して固定保持される。
【０１１７】
回転チャネル（２５）の部分である、前述の（外側）円筒形壁（３１）の１つの部分が、ダイヤルばね（３４）のためのダイヤルばね切取り部（３７）を画定する。円筒形壁（３１）のこの部分はより浅い深さを含み、ダイヤルユニット（４）が回転力によって逆時計回り方向に回転される時、ダイヤルばね（３４）の下端部が、この部分の下を通って、逆時計回り方向に回転することが可能になり、次いで、結果として生じるばねの回転張力が解放される場合、その最初の位置に回転して戻ることを可能になる。
【０１１８】
円筒形本体（３）の内壁（３Ａ）上の特徴は、図９の中に最もよく図示されている。４つの詰め替えホルダクリップ（３８）が頂部内縁から突出し、それらは、本発明の実施形態の部分として使用される交換可能な詰め替えカートリッジ（１２）のための詰め替えホルダ（３９）を保持する働きをする。円筒形本体（３）の内壁（３Ａ）から外側へ、詰め替えホルダクリップ（３８）の下方へ短い距離で突出する４つのレッジ（３８Ａ）が、詰め替えホルダ（３９）の保持を更に補助する。
【０１１９】
円筒形本体（３）の内壁（３Ａ）は、ディスペンサ（１）の他の構成要素のための保持特徴を画定する。したがって、前記内壁（３Ａ）の頂部に向かって、２つの対角線上に対向する凹部が存在し、詰め替えホルダ（３９）のための回転制限ポケット（４０）として機能し、すなわちそれらは、詰め替えホルダ（３９）が円筒形本体（３）に対して回転することを制限する。これらの回転制限ポケット（４０）は、投与量カウンタ切取り部（２３）、およびそれに対角線上に対向する、投与量カウンタの回転防止スプライン（４１）の上方に配置される。
【０１２０】
円筒形本体（３）の内壁（３Ａ）が、「戻り止めポケット」（４２）として機能する前記内壁（３Ａ）の頂部に向かって２つの対角線上に対向する凹部を画定する。これらの戻り止めポケット（４２）は、回転制限ポケット（４０）を有する対角線と直交する対角線上に配置される。戻り止めポケット（４２）は、詰め替えホルダ（３９）の頂部でカラー（４４）から下方へ突出する戻り止めアーム（４３）を収容するように機能する。径方向の中心で、各戻り止めポケット（４２）は、わずかに外側に突出する垂直方向に配向されたリブ（４２Ａ）を有する（下記参照）。
【０１２１】
その底部に向かって、円筒形本体（３）の内壁（３Ａ）の周りを完全に走る、ラチェットスリーブ（２８）のための軸方向支承部として機能する、狭く内側に突出する径方向棚部（４５）が存在する。
【０１２２】
円筒形本体（３）の中央内側水平プラットフォーム（３２）の中心から上方に突出する、プランジャ（４７）のための心合わせボス（４６）が存在する（下記参照）。心合わせボス（４６）は、その基部で円筒形であるが、その長さのほとんどについて十字形断面を含む。
【０１２３】
円筒形本体（３）の内部、または部分的内部に、本明細書で更に説明されるディスペンサ（１）の他の主要な構成要素が存在する。そのような構成要素には、ディスペンサ（１）のための詰め替えカートリッジ（１２）を保持する詰め替えホルダ（３９）、流体製品を詰め替えカートリッジ（１２）から押し出す働きをする「プランジャ」（４７）、およびダイヤルユニット（４）が円筒形本体（３）に対して逆時計回りに回転される場合、プランジャ（４７）を上方へ押し出す「ラチェットスリーブ」（２８）が含まれる。
【０１２４】
詰め替えホルダ（３９）は、図４、図１１、図１２および図１３の中に図示される。詰め替えホルダ（３９）は、円筒形本体（４９）およびその上方縁から水平に拡張する環状カラー（４４）を備える。詰め替えホルダ（３９）の円筒形本体（４９）は、その中央部で中空であり、その中空部は、ディスペンサ（１）と共に使用するための詰め替えカートリッジ（１２）を収容するように設計される。
【０１２５】
詰め替えホルダ（３９）の円筒形本体（４９）の上縁から径方向に拡張するカラー（４４）は、その外周で下方に垂れ下がる環状スリーブ（５０）を備える。環状スリーブ（５０）は、外側に傾斜した環状庇部（５１）を含む。この環状庇部（５１）は、ディスペンサ（１）の円筒形本体（３）の内部に詰め替えホルダ（３９）を軸方向に保持するように機能し、環状庇部（５１）は、詰め替えホルダクリップ（３８）と、円筒形本体（３）の内壁（３Ａ）から突出するレッジ（３８Ａ）との間に嵌合する。
【０１２６】
２つの対角線上に対向する戻り止めアーム（４３）が環状スリーブ（５０）から下方へ突出し、戻り止めアーム（４３）は円筒形本体（３）の内壁（３Ａ）内の戻り止めポケット（４２）に係合する。戻り止めアーム（４３）は、外側に尖り、先端を切断したＶ字形断面を含む。戻り止めアーム（４３）の径方向外側端部、および円筒形本体（３）の戻り止めポケット（４２）の中央部の垂直に配向されたリブ（４２Ａ）が、一方の他方に関する自由回転に対して抵抗力を提供する。詰め替えホルダ（３９）が、（アプリケータヘッド（２）の回転により）回転される場合、戻り止めアーム（４３）が円筒形本体（３）の戻り止めポケット（４３）から突出するリブ（４２Ａ）上に押し付けられ、前記回転に対して抵抗力を提供する。
【０１２７】
円形カラー（４４）の上面が、アプリケータヘッド（２）の保持係合タブ（１５）のための２つの対角線上に対向する係合ポケット（５２）を画定する。係合ポケット（５２）は、戻り止めアーム（４３）が円形カラー（４４）から垂れ下がる位置に隣接する径方向の位置で、円形カラー（４４）の中に挿入される。アプリケータヘッド（２）の係合タブ（１５）が、詰め替えホルダ（３９）の係合ポケット（５２）に相互作用することによって、これらの構成要素間に回転係止を提供する。
【０１２８】
２組の対角線上に対向する「プランジャスプライン」（５２Ａ）が、詰め替えホルダ（３９）の円筒形本体（４９）の外面を下方へ走る。これらのスプライン（５２Ａ）は、以下に詳細に説明されるプランジャ（４７）の中の凹部（５３）と相互作用し、プランジャ（４７）を詰め替えホルダ（３９）に回転に関して係止するが、ディスペンサ（１）の機能の本質である、２つの相対的な軸方向の移動を妨げることはない。
【０１２９】
２つの対角線上に対向するボス（５３Ａ）が、環状スリーブ（５０）から径方向外側に突出する。これらのボス（５３Ａ）は、戻り止めアーム（４３）および係合ポケット（５２）を有する対角線と直交する対角線上に存在する。ボス（５３Ａ）は、その回転制限ポケット（４０）と相互作用することによって、円筒形本体（３）に対して詰め替えホルダ（３９）の回転を制限する（下記参照）。
【０１３０】
円筒形本体（３）の回転制限ポケット（４０）内部で詰め替えホルダ（３９）のボス（５３Ａ）の回転制限は、円筒形本体（３）の戻り止めポケット（４２）内部の戻り止めアーム（４３）の回転制限を画定する。更に、これら組の集合の回転制限は、円筒形本体（３）の外面の中に切り込まれたバヨネットトラック（２０）内部のアプリケータヘッド（２）のバヨネットラグ（１７）の回転制限に相当する。
【０１３１】
図１３は、詰め替えホルダ（３９）の円筒形本体（４９）の底部に近接して、内側に突出する径方向の棚部（５４）が存在することを図示する。この径方向の棚部（５４）の頂部上に規則的な角度間隔で、６つの詰め替え停止スプライン（５５）が配置され、それらは詰め替えカートリッジ（１２）の底部のために軸方向支承部として機能する。
【０１３２】
径方向の棚部（５４）下方に、円筒形本体（４９）の外面は、縮小された内径および外径の凹部（５６）を含む。円筒形本体（４９）のこの部分（５６）は、詰め替えホルダ（３９）とプランジャ（４７）との間に再設定ばねとして作用し、プランジャ（４７）を下方へ付勢する随意の圧縮ばね（５７）のための保持ボスとして機能する。
【０１３３】
円筒形本体（３）の内部に、プランジャ（４７）が存在する。これは、図４、図１４および図１５の中に図示される。
【０１３４】
図１５は、再設定ばね（５７）の相対的な位置をやはり図示する断面図である。
【０１３５】
プランジャ（４７）は、内側円筒形ボス（５９）を取り囲む外側円筒形シェル（５８）を備え、円筒形ボス（５９）はその中心軸線に沿って中空である。円筒形ボス（５９）は、取り囲んでいる外側円筒形シェル（５８）の上方に幾分突出する駆動面（６０）によって上を覆われている。内側円筒形ボス（５９）および外側円筒形シェル（５８）が、共通の軸線を共有し、再設定停止面（６１）によってそれらの基部で連結されている。内側円筒形ボス（５９）の底部が、再設定停止面（６１）の内部で、開いており、円筒形本体（３）の心合わせボス（４６）がアクセスできる。
【０１３６】
外側円筒形シェル（５８）は、２つの型の歯、すなわち前進螺旋状歯（６２）および逆止水平歯（６３）をその外面上に備える。
【０１３７】
外側円筒形シェル（５８）の外面に対角線上に対向する２組の逆止水平歯（６３）が存在し、それぞれ約４０°の角度距離の間に延在している。
【０１３８】
逆止歯（６３）は、三角形の断面を含み、各歯が、中心軸線に対して直行する平面、すなわち、水平面内にあり、各組は、互いに等間隔に積み重ねられた歯を備える。
【０１３９】
外側円筒形シェル（５８）の外面上に対角線上に対向する２組の前進螺旋状歯（６２）が、更に存在する。これらの歯は、逆止歯（６３）よりも、より大きい径方向範囲を含み、それぞれが約８０°の角度距離の間に延在している。
【０１４０】
前進螺旋状歯（６２）は、三角形の断面を含み、外面の周りに逆時計回り方向に螺旋状に下方へ傾斜する。各組の前進螺旋状歯（６２）は、互いに等しい間隔に積み重ねられた歯を備える。
【０１４１】
逆止歯（６３）および前進螺旋状歯（６２）は、同じ断面の径方向高さ（概ね）を含み、前進螺旋状歯（６２）の長さのほとんどに対して同様の形状を含むが、前進螺旋状歯（６２）は時計回りの端部でそれらが突出する表面に傾斜する。
【０１４２】
逆止歯（６３）および前進螺旋状歯（６２）は、等しい垂直の間隔（概ね）を含む。
【０１４３】
各組の前進螺旋状歯（６２）は、外側円筒形シェル（５８）の隆起部（５８Ｂ）に対して窪んでいる外側円筒形シェル（５８）の部分（５８Ａ）から突出し、逆止歯（６３）は隆起部（５８Ｂ）から突出する。
【０１４４】
各前進歯（６２）の外側頂点が、逆止歯（６３）の間のトラフに等しい、またはそれよりも小さい半径方向の範囲まで突出するように、凹部（５８Ａ）は窪んでいる。
【０１４５】
各前進螺旋状歯（６２）は、その最も時計回りの点で外側円筒形シェル（５８）のその凹部（５８Ａ）から立ち上がり、逆時計回り方向に螺旋状に下方へ傾斜する。前進歯（６２）の頂点が、隣接する前進螺旋状歯（６２）の間の距離にほぼ等しくなる距離だけ下がり、それが、隣接する逆止歯（６３）間の、最も時計回りの点と最も逆時計回りの点との間の距離に概ね等しいように、下方への斜面がなっている。
【０１４６】
前進螺旋状歯（６２）の時計回りの縁部から、前記歯が突出する凹部（５８Ａ）は、時計回りに約４５°の追加の径方向の距離だけ、逆止歯（６３）が突出する次の隆起部まで滑らかに延在する。「滑らかに」とは、特定のこの領域内に歯（６２または６３）が存在しないということであると理解すべきであるが、一方、他の環状の隆起特徴部は、その上端部を横切って切断されている（下記参照）。
【０１４７】
円筒形シェル（５８）の隆起部（５８Ｂ）は、凹部（５８Ａ）に対して径方向に延在し、それによって、隆起部（５８Ｂ）および凹部（５８Ａ）は、それらの曲率半径について共通の中心軸線を共有する。
【０１４８】
プランジャ（４７）が、上端部近傍で、投与量カウンタ（ＤＣ）（２２）を保持するための特徴を備える（下記参照）。これらの特徴は、ＤＣ保持棚部（６４）、２つのＤＣ保持クリップ（６５）の上方で、両方ともその外側円筒形シェルの外面から径方向へ延在する。ＤＣ保持棚部（６４）は完全な環状突起であり、一方、ＤＣ保持クリップ（６５）は対角線上に対向する部分だけが突出し、その対抗する部分は、逆止歯（６３）を有する外側円筒形シェル（５８）の部分（５８Ｂ）に径方向に重なる。
【０１４９】
プランジャ（４７）の外側円筒形シェル（５８）の内面が、全長に延在する２つの対角線上に対向する凹部（５３）を画定する。これらの凹部（５３）は、詰め替えホルダ（３９）のプランジャスプライン（５２Ａ）を収容し、これら２つの構成要素を回転方向に一体に係止する。
【０１５０】
投与量カウンタ（２２）は、図１６の中に図示される。投与量カウンタ（２２）は、環状リングの形態の保持フープ（６６）と、外側に突出するフラグ保持突起（６８）によって取り付けられた「フラグ」（６７）とを備える。フラグ（６７）は、円筒形本体（３）の側部を直線的に下方へ延在し、その長さに沿って水平面内で内側に湾曲し、円筒形本体（３）と共通軸線を共有して、前記円筒形本体（３）の内部にそれを嵌合することを容易にする。フラグ（６７）は、概ね５０°の角度範囲を含む。
【０１５１】
投与量カウンタ（２２）の保持フープ（６６）は、ＤＣ保持棚部（６４）とプランジャ（４７）のＤＣ保持クリップ（６５）との間に保持される。このようにして、投与量カウンタ（２２）は、プランジャ（４７）が上方へ押される度に、上方へ押される。投与量カウンタフラグ（６７）の外面上の数字（図示せず）を使用して、投与された投与量または残りの投与量を示すことができる。そのような数字は、制御パネルプレート（２１）の中に存在する投与量窓（２１Ａ）を通して見ることができる。
【０１５２】
保持フープ（６６）は、フラグ保持突起（６８）の対角線上に対向する後部突出部（６９）を含む。後部突出部（６９）は２つの径方向突起を備え、その２つの径方向突起は、円筒形本体（３）の内壁（３Ａ）の中に切り込まれ、その上半分に対して延在するＤＣ回転防止スプライン（４１）に嵌合する。これにより、フラグ（６７）は常に円筒形本体（３）に対して正しい回転配向に維持される。
【０１５３】
後部突出部（６９）およびフラグ保持突起（６８）に対して直角に、保持フープ（６６）は対角線上で対向するプランジャ凹部クリップ（７０）を含む。投与量カウンタ（２２）をプランジャ（４７）に嵌合させようとする場合、保持フープ（６６）のこれらの径方向に拡張された部分によって、保持フープ（６６）はＤＣ保持クリップ（６５）の上方を通過することができる。（組立て中に（下記参照）、プランジャ凹部クリップ（７０）がＤＣ保持クリップ（６５）の上に押された後、投与量カウンタ（２２）が回転されて、投与量カウンタ（２２）をプランジャ（４７）上の軸方向定位置に固定する）。
【０１５４】
ラチェットスリーブ（２８）は、図４および図１７の中に図示される。ラチェットスリーブ（２８）は、全体的に管状構造を有し、大部分は円筒形本体（３）内のプランジャ（４７）の周りに嵌合する。
【０１５５】
ラチェットスリーブ（２８）の基部（または底部）には、ラチェットスリーブ（２８）の基部から下方へ突出し、ダイヤルユニット（４）の中の係合ポケット（８３）と相互作用する２つの対角線上に対向する保持ブレード（２７）が存在する（下記参照）。この相互作用が、ラチェットスリーブ（２８）をダイヤルユニット（４）に対して回転に関して係止する。
【０１５６】
ラチェットスリーブ（２８）の保持ブレード（２７）は、それぞれそれらの上方外面上に保持クリップ（７１）を含む。組み立てられる場合、保持クリップ（７１）は、ダイヤルユニット（４）の係合ポケット（８３）のための回転チャネル（２５）として機能する２つの対角線上に対向する径方向凹部によって生成された、円筒形本体（３）の下縁部（２５Ａ）の下に係合する（図８参照）。
【０１５７】
ラチェットスリーブ（２８）の保持ブレード（２７）は、それぞれそれらの逆時計回りの下方コーナーで切取り部分（７２）を画定する。これらの一方の垂直面は、前述のダイヤルユニット（４）のダイヤルばね保持チャネル（３５）と共に、ダイヤルばね（３４）の下方端部のための停止面（７２Ａ）として機能する。
【０１５８】
ラチェットスリーブ（２８）の上部は、２組のラチェットブレード（７３および７４）を備え、各組は、ラチェットスリーブ（２８）の概ね中腹から上方へ突出しており、各ブレードは、その対応するブレードに対して対角線上に対向している。第１の組のラチェットブレード（７３）は、その上端で内側に傾斜する前進ラチェット（７５）を有する。前進ラチェット（７５）は、プランジャ（４７）の前進螺旋状歯（６２）と相互作用し（下記参照）、ラチェットスリーブ（２８）が逆時計回りに回転する場合、プランジャ（７４）を上方に駆動する働きをする。第２の組のラチェットブレード（７４）は、その上端から径方向内側に突出する逆止ラチェット（７６）を有する。逆止ラチェット（７６）は、プランジャ（４７）の逆止歯（６３）と相互作用しており、前進が完了し、ダイヤルばね（３４）がダイヤルユニット（４）および付随するラチェットスリーブ（２８）を時計回りに回転させて「設定」位置まで戻す場合（下記参照）、プランジャ（４７）が下方へ戻ることを防止するように機能する。
【０１５９】
プランジャ（４７）上の、逆止歯（６３）に対して窪んでいる前進歯（６２）と相互作用するために、前進ラチェット（７５）はより内側に延在している。
【０１６０】
前進ラチェット（７５）は逆時計回り方向に下方へ（垂直に）傾斜しており、その傾斜はプランジャ（４７）の前進歯（６２）の傾斜と合致している。
【０１６１】
逆止ラチェット（７６）は、それらが相互作用するプランジャ上の逆止歯（６３）と同様に水平である。
【０１６２】
前進ラチェット（７５）が、それらを有するブレードの上端に、約３０°の間に延在し、対角線上に対向している。
【０１６３】
逆止ラチェット（７６）がそれらを有するブレードの上端に、約６０°の間に延在し、対角線上に対向している。
【０１６４】
ラチェットブレード（７３および７４）の上端は、ラチェットスリーブ（２８）内の周方向間隙（７７）を画定する。前進ラチェット（７５）を有する各ラチェットブレードは、その上端で、時計回り方向に約６０°の角度間隔によって、および逆時計回り方向に約３０°の角度間隙によって、逆止ラチェット（７６）を有する隣接するラチェットブレードから分離されている。
【０１６５】
ラチェットブレード（７３）によって画定されるラチェットスリーブ（２８）の周方向間隙は、ラチェットスリーブ（２８）の長さ（高さ）の約半分に対して、下方へ延在する。
【０１６６】
前進ラチェット（７５）を有するラチェットブレード（７３）は、非対称的に、下方へ進むにつれて拡張し、それぞれがその基部で約６０°の角度範囲に及び、その箇所で、それらは下方のラチェットスリーブ（２８）の完全な円筒形部分（７９）から外側へ傾斜する棚部（７８）に接合する。ブレード（７３）は直線状に下方へ拡張し、拡張の大部分は時計回りの縁部で生じる。外側に傾斜する棚部（７８）は、前記ラチェットブレード（７３）の底部全体の周りに水平に延在し、前記逆止ラチェット（７６）を有する隣接するラチェットブレード（７３）の最も近い縁部まで延在する。
【０１６７】
逆止ラチェット（７６）を有するラチェットブレード（７３）は、対称的に直線状に、下方へ進むにつれて拡張し、それぞれがその基部で約６６°の角度範囲に及び、その箇所で、それらはラチェットスリーブ（２８）の完全な円筒形部分に融合する。
【０１６８】
前進ラチェット（７５）を有するラチェットブレード（７３）の基部にある棚部（７８）は、径方向外側および下方に傾斜し、それらの下で水平推力支承面（８０）を生成し、それらはラチェットスリーブ（２８）の円筒形部分全体の上に突き出る。これらの推力支承面（８０）は、円筒形本体（３）内の軸方向支承部（４５）上に位置する（上記参照）。
【０１６９】
円筒形本体（３）の基部には、ダイヤルユニット（４）がある。これは、図３、図４および図１８の中に図示される。これは、略平坦な中実の円形基部（８１）と、前記基部（８１）の外縁から立ち上がる外側の中実の円筒壁（８２）とを含むカップ形状のユニットである。ダイヤルユニット（４）の基部（８１）上、内側に、２つの対角線上に対向する係合ポケット（８３）が存在し、それぞれが、湾曲した内壁（８５）によって連結される円形基部（８１）を横切って、円筒壁（８２）から径方向内側に突出する２つの短い壁（８４）を含み、湾曲した内壁（８５）もまた、円形基部（８１）を横切って延在し、外側円筒壁（８２）と同じ曲率の面を共有する。係合ポケット（８３）は、ラチェットスリーブ（２８）の保持ブレード（２７）の底部を収容し、その任意の相対的な回転運動を防止するように設計されている（上記参照）。
【０１７０】
係合ポケット（８３）の短い壁（８４）の外面は、「設定停止面」（２９）および円筒形本体の「投与停止面の端部」（３０）と相互作用する「停止面」として機能して、ダイヤルユニット（４）の円筒形本体（３）に対する回転を制限する。
【０１７１】
係合ポケットの１つは、湾曲した内壁（８５）の中でダイヤルばね（３４）の下端部のための保持チャネル（３５）を画定する。保持チャネル（３５）は、ダイヤルばね（３４）の挿入を助けるために、その上方のコーナーで面取りされている。ダイヤルばね（３４）の下端部は、保持チャネル（３５）によって、およびラチェットスリーブ（２８）の保持ブレード（２７）の停止面（７２Ａ）によって、ダイヤルユニット（４）のその係合ポケット（８３）の内部で回転に関して制限される。
【０１７２】
ダイヤルユニット（４）の円形基部（８１）は、その中心近傍から立ち上がる短い円筒壁（８６）を備える。この短い円筒壁（８６）は、円筒形本体（３）の内側プラットフォーム（３２）に垂れ下がって、内側円筒形壁（３３）の内側にぴったりと嵌合する。円形基部（８１）の内面は、円筒形本体（３）の内側円筒形壁（３３）の端部に対向し、円筒形本体（３）に対するダイヤルユニット（４）の上方への移動を防止する。
【０１７３】
その内面上の外側円筒壁（８２）の頂部に向かって、２つの対角線上に対向する円筒形本体保持クリップ（８７）が存在する。これらは、係合ポケット（８３）が配置されている対角線とほぼ直交する対角線上に配置されている。
【０１７４】
ダイヤルユニット（４）の保持クリップ（８７）は、円筒形本体（３）のダイヤル・スリーブ・リブ（２４）の上にクリップ留めされて、ダイヤルユニット（４）を円筒形本体（３）に軸方向に保持する。
【０１７５】
ダイヤルユニット（４）は、詰め替えカートリッジ（１２）内に収容された組成物を分注するために逆時計回りに回転され得る。ダイヤルユニット（４）を回転させることによって、ラチェットスリーブ（２８）が回転されるが、その理由は、その２つが、ダイヤルユニット（４）の中で係合ポケット（２６）と相互作用するラチェットスリーブ（２８）から下方に突出する保持ブレード（２７）によって、回転に関して固定されるからである。ダイヤルユニット（４）およびラチェットスリーブ（２８）は、共に、ディスペンサ（１）の駆動アセンブリと見なすことができる。
【０１７６】
駆動アセンブリが最も時計回りの位置にある場合、駆動アセンブリは「静止位置」にあると言われる。駆動アセンブリ（１００）が最も逆時計回りの位置にある場合、駆動アセンブリはその「前進位置」にあると言われる。駆動アセンブリは、ダイヤルばね（３４）を介して静止位置に向かって付勢されている。駆動アセンブリをその前進位置に回転させるためには、ユーザが手間をかける必要がある。
【０１７７】
静止位置では、前進ラチェット（７５）は、プランジャ（４７）の前進歯（６２）のわずかな軸方向隙間内に位置する。駆動アセンブリが逆時計回りに（その前進位置に向かって）回転されると、各前進ラチェット（７５）は、プランジャ（４７）上の前進歯（６２）と係合する。回転が継続するにつれて、係合される前進歯（７５）は、全体的にプランジャと共に、前進ラチェット（７５）によって上方に押し込まれる。これによって、プランジャ（４７）がそのボス（５９）と共に上方に移動し、その駆動面（６０）が詰め替えカートリッジ（１２）の可動ピストンシール上に作用し、それによって、可動ピストンシールも上方に押し込まれる。したがって、詰め替えカートリッジ（１２）内の組成物は、アプリケータヘッド（２）の中の穴（８）を通ってアプリケータ上面（６）に押し込まれ、そこから組成物が塗布される。
【０１７８】
ラチェットスリーブ（２８）の逆止ラチェット（７６）は、プランジャ（４７）の逆止歯（６３）と係合して、プランジャ（４７）が下方へ移動することを防止する。駆動アセンブリが前進位置に接近するにつれて、逆止ラチェット（７６）は外側に偏向し、プランジャ（４７）上の次の逆止歯（６３）上にスナップ留めされる。
【０１７９】
前進位置に到達する場合、各前進ラチェット（７５）は、詰め替えカートリッジ（１２）内に収容された組成物の全投与量に等しい量だけプランジャ（４７）の駆動面（６０）を前進させる。前進ラチェット（７５）の追加の逆時計回りの回転は、円筒形本体（３）の「停止面」（それぞれ３０および８４）とダイヤルユニット（４）との間の相互作用によって防止される。
【０１８０】
駆動アセンブリがダイヤルばね（３４）によって静止位置に回転されて戻る場合、プランジャ（４７）の逆止歯（６３）が逆止ラチェット（７６）の上にわずかに戻って緩み、かつ各前進ラチェット（７５）が次の前進歯（６２）上にスナップ留めされる。
【０１８１】
前進するラチェット（７５）が、もはや前進する歯（６２）を前進させなくなるまで、説明された方法によって投与量を分注し続けることができる。ダイヤルユニット（４）はこのような段階ではまだ回転可能であるが、しかしプランジャ（４７）の追加の前進は発生しない。
【０１８２】
図１９は、本発明のディスペンサ（１）の交換可能な部品として使用される詰め替えカートリッジ（１２）の態様を図示する。ディスペンサ（１）の他の構成要素に対する詰め替えカートリッジ（１２）の配置は、図４に示されている。
【０１８３】
詰め替えカートリッジ（１２）は、詰め替えホルダ（３９）の内部に位置する。詰め替えカートリッジ（１２）は、詰め替え本体（８８）および詰め替えピストン（８９）を備える。
【０１８４】
詰め替え本体（８８）は、円筒形バレル（９０）と、詰め替え本体（８８）の上面（９２）から突出する環状のアプリケータヘッド反応面（９１）とを備える。環状のアプリケータヘッド反応面（９１）は、その中心で内側に先細になる管状オリフィス（９３）を画定する。この管状オリフィス（９３）は、すべての関連部品が組み立てられた場合、アプリケータヘッド（２）の下側の中心から垂れ下がって、詰め替え封止突起（１１）に対して封止するように設計されている。
【０１８５】
関連する構成要素が組み立てられた場合、詰め替えカートリッジ（１２）のアプリケータヘッドの反応面（９１）は、アプリケータヘッド（２）の下側中央に詰め替え封止突起（１１）から径方向に突出するリブ（９４）に対して押し、これらのリブ（９４）は図６に図示されている。
【０１８６】
関連する構成要素が組み立てられた場合、保持リップ（９５）の下に、詰め替え保持突起（１３）の内縁上の詰め替えクリップ（１４）が、詰め替えカートリッジ（１２）の円筒形バレル（９０）の外面上に存在する。これによって、詰め替えカートリッジ（１２）をアプリケータヘッド（２）に対して軸方向に軽く締め付けることを提供し、後に詰め替えカートリッジ（１２）が詰め替えホルダ（３９）から取り外されることが可能になるので、消費者が詰め替えカートリッジ（１２）自体の端部で潜在的に露出される組成物に触れる必要がない。
【０１８７】
詰め替えカートリッジ（１２）の円筒形バレル（９０）の頂部に向かってではあるが、しかし前記保持リップ（９５）の下に、バレルの表面から外側に突出する環状ビード（９６）が存在する。これは、消費者によって、詰め替えホルダ（３９）の中に詰め替えカートリッジ（１２）が間違った方法で挿入されるのを防ぐことに役立つ。
【０１８８】
詰め替えピストン（８９）の要素の断面は、図１９に斜線で示されている。２つの構成要素が独立して製造された後、詰め替えピストン（８９）が、詰め替え本体（８８）に挿入される。
【０１８９】
関連する構成要素が組み立てられ、ディスペンサ（１）が作動される場合、詰め替えピストン（８９）は、プランジャ（４７）の円筒形ボス（５９）の頂部の駆動面（６０）によって上方に押し込まれる。これにより、次いで詰め替えカートリッジ（１２）内の組成物がアプリケータヘッド（２）の中の中央穴（８）を通って、その表面（６）に押し出される。
【０１９０】
詰め替えカートリッジ（１２）は、典型的には、それに付随するキャップ（９７）（図示せず）を含み、前記キャップ（９７）は、ディスペンサ（１）に装填される前に、移行中詰め替えカートリッジ（１２）を封止する。
【０１９１】
詰め替えカートリッジ（１２）を交換する必要がある場合、これは簡単に達成される。ユーザは、最初にアプリケータヘッド（２）を逆時計回りに約３０°回転させる。これによって、アプリケータヘッド（２）のバヨネットラグ（１７）が、アプリケータヘッドスリーブ（１８）の外面のバヨネットトラック（２０）から脱係合し、アプリケータヘッド（２）および関連する詰め替えカートリッジ（１２）が持ち上げられて、円筒形本体（３）および関連する詰め替えホルダ（３９）から取り除かれることが可能である。詰め替えカートリッジ（１２）は、詰め替え保持突起（１３）および関連する詰め替えクリップ（１４）によって、アプリケータヘッド（２）上に保持されるが、しかし手で簡単に取り外すことができる。
【０１９２】
アプリケータヘッド（２）を逆時計回りに回転させてバヨネットラグ（１７）をバヨネットトラック（２０）から脱係合させると、プランジャ（４７）上に二次的な影響が生じる。アプリケータヘッド（２）の係合タブ（１５）が、詰め替えホルダ（３９）の係合ポケット（５２）と相互作用することによって、アプリケータヘッド（２）は、詰め替えホルダ（３９）に回転に関して係止される。更に、詰め替えホルダ（３９）のプランジャスプライン（５２Ａ）が、プランジャ（４７）の長手方向凹部（５３）に挿入されることによって、詰め替えホルダ（３９）は、プランジャ（４７）に回転に関して係止される。したがって、アプリケータヘッド（２）を回転させることによって、プランジャ（４７）が回転する。
【０１９３】
プランジャ（４７）が、その静止位置から約３０°だけ詰め替えホルダ（３９）によって逆時計回りに回転されると、ラチェットスリーブ（２８）上の逆止ラチェット（７６）は、プランジャ（４７）上の逆止歯（６３）から脱係合されるようになる。この回転配向で、ラチェットスリーブ（２８）上の前進ラチェット（７５）および逆止ラチェット（７６）は、プランジャ（４７）の凹部（５８Ａ）と位置合わせされ、前進ラチェット（７５）は、歯を帯びない凹部（５８Ａ）のそれら部分と位置合わせされる。これによって、プランジャ（４７）がラチェットスリーブ（２８）に対して垂直下方に摺動することによって「再設定」することが可能になる。この再設定は、再設定ばね（５７）によって補助され、再設定ばね（５７）の上端部は詰め替えホルダ（３９）の基部の窪んだ外側部分（５６）の周りに巻き付けられる。再設定ばね（５７）は、その下端部で、プランジャ（４７）の基部の再設定停止面（６１）の頂部内面上を下方に押圧する。
【０１９４】
アプリケータヘッド（２）が交換され、時計回りに回転されて、ディスペンサ（１）を係止し、使用の準備が整った状態に設定する場合、ラチェットスリーブ（２８）が、それに再係合するためにプランジャ（４７）の頂部に再び配置される。
【０１９５】
オーバーキャップ（５）は内側に突出する舌部（図示せず）を含み、その舌部は、アプリケータヘッド（２）の周辺スカート（７）の環状凹部（８）の中に突出して、それによりアプリケータヘッド（２）上にオーバーキャップ（５）を保持することを補助するように設計されている。
【図１】
2018500053.tif 000003
【図２】
2018500053.tif 000004
【図３】
2018500053.tif 000005
【図４】
2018500053.tif 000006
【図５】
2018500053.tif 000007
【図６】
2018500053.tif 000008
【図７】
2018500053.tif 000009
【図８】
2018500053.tif 000010
【図９】
2018500053.tif 000011
【図１０】
2018500053.tif 000012
【図１１】
2018500053.tif 000013
【図１２】
2018500053.tif 000014
【図１３】
2018500053.tif 000015
【図１４】
2018500053.tif 000016
【図１５】
2018500053.tif 000017
【図１６】
2018500053.tif 000018
【図１７】
2018500053.tif 000019
【図１８】
2018500053.tif 000020
【図１９】
2018500053.tif 000021
【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
組成物およびそのためのディスペンサを備える製品であって、前記組成物が、発汗の非孔質遮断阻害剤を含む、１６／ｓの剪断速度で３０００ｍＰａ．ｓ〜５２００ｍＰａ．ｓの粘度のゲル、クリームまたは軟質固体であり、前記ディスペンサが、その頂部／中央部で２５〜６０ｍｍの最大値から、その頂部／中央部から１ｃｍの距離でその最大値の７５〜９５％の値まで減少する曲率半径のドーム形状のアプリケータ表面を備える、製品。
【請求項２】
前記ドーム形状のアプリケータ表面の曲率半径が、その頂部／中央部から１．５ｃｍ〜２．５ｃｍの距離でその最大値の１０〜２５％の値まで減少する、請求項１に記載の製品。
【請求項３】
前記ドーム形状のアプリケータ表面の直径が、３ｃｍ〜６ｃｍである、請求項１または２に記載の製品。
【請求項４】
内部に収容されたリザーバから前記組成物を放出するために、前記アプリケータ表面に穴を含む、請求項１〜３のいずれか一項に記載の製品。
【請求項５】
前記リザーバが、交換可能な詰め替えカートリッジである、請求項４に記載の製品。
【請求項６】
前記交換可能な詰め替えカートリッジから前記アプリケータ表面までの通路であって、前記アプリケータ表面の前記穴で終了し、少なくとも１．０ｍｍ２の最小断面積を含む通路を備える、請求項５に記載の製品。
【請求項７】
前記組成物が、単位投与量でアプリケータ表面上へ移送される、請求項１〜６のいずれか一項に記載の製品。
【請求項８】
前記発汗の非孔遮断阻害剤が抗コリン剤である、請求項１〜７のいずれか一項に記載の製品。
【請求項９】
前記組成物が、１〜５重量％の発汗の非孔質遮断阻害剤を含む、請求項１〜８のいずれか一項に記載の製品。
【請求項１０】
前記リザーバから前記アプリケータ表面上に前記組成物を押し込むための駆動機構を備え、前記駆動機構が、ダイヤルユニットとプランジャとを備え、前記ダイヤルユニットが前記プランジャを前進させるために回転され、それによって前記組成物が、前記アプリケータの前記穴を通って前記アプリケータ表面上へ前進する、請求項４〜９のいずれか一項に記載の製品。
【請求項１１】
前記ダイヤルユニットを第１の方向へ回転させることによって、前記プランジャが上方へ前進し、前記プランジャが、前記組成物を含む交換可能なカートリッジの基部でピストンシール上に作用し、それによって、前記含有された組成物を前記アプリケータ表面の前記穴を通って上方へ、かつ外側へ押し出し、前記第１の方向とは逆の第２の方向へ前記ダイヤルユニットを回転させることによって、前記プランジャが更に前進する準備が整った状態に、前記プランジャに対して前記ダイヤルユニットを回転方向に再設定し、前記第２の方向への回転が、前記プランジャの著しい軸方向移動を引き起こさない、請求項１０に記載の製品。
【請求項１２】
前記ダイヤルユニットの前記第１の方向への回転運動を１８０°未満に制限する停止面を備える、請求項１０または請求項１１に記載の製品。
【請求項１３】
発汗、特に過度の発汗の治療に使用するための、請求項１〜１２のいずれか一項に記載の製品。
【請求項１４】
前記頂部に前記凸状のアプリケータ表面を含む取外し可能なアプリケータヘッドによって、前記交換可能なカートリッジが、外側本体または外側本体内の詰め替えホルダから取り外すことができる、請求項１〜１３のいずれか一項に記載の製品。
【請求項１５】
発汗、特に過度の発汗を制御する化粧方法であって、前記方法が、請求項１〜１４のいずれか一項に記載の製品の使用を含む、化粧方法。
【国際調査報告】
2018500053.tif 000022
2018500053.tif 000023